(57)【要約】【課題】ノック体の押圧作動による作動感触が良好で、かつ簡単に出没可能な回転カムを有するノック式筆記具、好ましくは、筆記体の筆記先端部が突出した状態でクリップ部材をポケット等の衣類に装着しても衣類を汚損することがないセーフティ機構を具備したノック式筆記具を提供する。【解決手段】回転カムによる出没機構を具備したノック式筆記具において、回転カムの後方に、弾発部材により軸筒後端方向に付勢されて前後動可能にカム溝形成部材を配設し、軸筒内に形成した第１の山部と、カム溝形成部材に形成した第２の山部によって、前記谷溝を形成する。谷溝に回転カムの突部が係止した状態で、前記解除部材から係止部の係止を解除すると、前記弾性部材によりカム溝形成部材が、前記第２の山部が谷溝を形成する段部がなくなるまで軸筒後端方向に移動して、筆記先端部が没入する。【選択図】          図１
2004167766.tif 000002
【特許請求の範囲】
【請求項１】
軸筒内に形成した、傾斜面を有する二つの山部が隣設し段部を形成することにより設けた谷溝と、該谷溝より軸心方向において長い凹み溝とよりなる、軸心方向に長さの異なる複数の溝が交互に周設されたカム溝と、筆記体側の端部にカム部を、他端に押圧部を設けてなるノック体と、該ノック体のカム部と係合し、ノック体への押圧操作によってカム溝に沿って回転しながら前後動する、カム溝に係合する突部を有する回転カムと、コイルスプリングにより軸筒後端方向へ付勢されて前記回転カムに当接してなる筆記体とで構成された回転カムによる出没機構を具備したノック式筆記具において、前記回転カムの後方に、弾発部材により軸筒後端方向に付勢されて前後動可能にカム溝形成部材を配設し、軸筒内に形成した第１の山部と、カム溝形成部材に形成した第２の山部によって、前記谷溝を形成するとともに、該カム溝形成部材に形成した係止部が軸筒に一体又は付設した解除部材に係止し、前記カム溝係止部材の前後動を規制するとともに、前記谷溝に回転カムの突部が係止した状態で、前記解除部材から係止部の係止を解除すると、前記弾性部材によりカム溝形成部材が、前記第２の山部が谷溝を形成する段部がなくなるまで軸筒後端方向に移動して、筆記先端部が没入することを特徴とするノック式筆記具。
【請求項２】
前記解除部材が、軸筒後端に一体または付設したクリップ部材であり、前記係止部をクリップ部材の玉部に形成した被係止部に係止し、筆記先端部が軸筒先端の開口部より突出し、回転カムの突部が前記谷溝に係止した状態でクリップをポケット等に挟持すると、ポケットの布地等により前記クリップ部材の玉部が軸筒から離間し、前記係止部と被係止部への係止を解除して筆記先端部を没入させるセーフティ機構を具備してなることを特徴とする請求項１に記載のノック式筆記具。
【発明の詳細な説明】
【０００１】
【発明の属する技術分野】
本発明は、ノック体を押圧することにより、回転カムの回転の作用により筆記体の筆記先端部を軸筒の先端開口部より出没させる回転カムによる繰出機構を具備したノック式筆記具に関する。
【０００２】
【従来の技術】
【特許文献１】
「特開平１０−２６４５８５号」
【特許文献２】
「特開平１０−２７８４８２号」
【特許文献３】
「特開平１１−７６３６１号」
【特許文献２】
「特開２０００−１２７６７７号」
【０００３】
従来から、ノック体を押圧することにより、回転カムの回転の作用により筆記体先端の筆記先端部を軸筒の先端開口部より出没させる繰出機構を具備した回転カムによるノック式筆記具については、よく知られている。
【０００４】
こうした回転カム機構は、回転カムの突部をカム溝に係合することによって筆記体の筆記先端部を軸筒の先端開口部より出没させる機構であり、具体的には、図８に示すように、カム溝Ｋは、軸心方向に長さの異なる複数の溝（谷溝Ｔ、凹み溝Ｍ）が交互に周設され、個々の溝間に形成される山部（Ｔ１、Ｔ２）は傾斜した面になっている。ノック体を押圧し、回転カムの突部９ａが山部Ｔ１と山部Ｔ２の段部によって形成された谷溝Ｔ（短い溝）に位置する状態で筆記体の筆記先端部は突出し、さらにノック体を押圧すると突部９ａが山部Ｔ２を越え、傾斜面に沿って凹み溝Ｍ（長い溝）に移動する。この凹み溝Ｍに回転カムの突部が位置する状態で筆記体の筆記先端部は没入する。
【０００５】
ところで、前記ノック式筆記具を、筆記体の筆記先端部が突出した状態でポケット等の布地に挟持した時、特に筆記体が、低粘度である水性インキや２５℃において粘度が３０００ｍＰａ・ｓ以下の油性インキ、あるいは剪断減粘性を付与したインキを収容したボールペンレフィルである場合には、前記インキがポケットの布地に染み込み汚してしまうという問題があり、ノック体の押圧作動以外にも解除機構を設け、簡単に筆記先端部が没入可能なノック式筆記具が切望されている。
【０００６】
特にクリップをポケット等に装着した場合には筆記先端部が没入する、いわゆるセーフティ機構を設けることが好ましく、こうしたセーフティ機構を具備した回転カムを有するノック式筆記具も数多く提案され、例えば、回転カムの側面に形成した係止部をクリップの玉部に形成した止め部に係止し、ポケットに挟持する際等の、クリップの軸筒側面からの離間作動により前記係止部の係止状態が解除され、弾性体等の付勢力により回転カムを後退させ、該回転カムの後退に連動して筆記体も後退させることにより、筆記先端部を軸筒内に没入させる構造のものは知られている。
【０００７】
【発明が解決しようとする課題】
しかしながら、前記した回転カムの側面に形成した係止部をクリップの玉部に形成した止め部に係止する構造は、ノック体を押圧する時の作動感触に影響が大きいという問題があった。
【０００８】
また、特開２０００−７９７８９号「ノック式筆記具」では、ノック体の押圧操作に連動して前進する係止突起を有し、内壁にカム溝を形成したカム筒を付設し、クリップに形成した係止段部に前記係止突起を係止した状態で、ノック体の押圧操作して筆記体の筆記先端部を出没作動するノック式筆記具が開示されている。
【０００９】
しかし、前記従来の「ノック式筆記具」は、ノック体を押圧する時の作動感触に影響は少ないものの、クリップに係止した係止突起が解除されると、一度ノック体を押圧操作して係止段部に係止突起を係止した後、再度ノック体を押圧操作することによって筆記体の筆記先端部を出没可能とするものであった。
【００１０】
本発明の目的は、上述した従来の問題点に鑑み、ノック体の押圧作動による作動感触が良好で、かつ簡単に出没可能な回転カムを有するノック式筆記具を提供することであり、好ましくは、筆記体の筆記先端部が突出した状態でクリップ部材をポケット等の衣類に装着しても衣類を汚損することがないセーフティ機構を具備したノック式筆記具を提供することである。
【００１１】
【課題を解決するための手段】
本発明は、軸筒内に形成した、傾斜面を有する二つの山部が隣設し、段部を形成することにより設けた谷溝と、該谷溝より軸心方向において長い凹み溝とよりなる、軸心方向に長さの異なる複数の溝が交互に周設されたカム溝と、筆記体側の端部にカム部を、他端に押圧部を設けてなるノック体と、該ノック体のカム部と係合し、ノック体への押圧操作によってカム溝に沿って回転しながら前後動する、カム溝に係合する突部を有する回転カムと、コイルスプリングにより軸筒後端方向へ付勢されて前記回転カムに当接してなる筆記体とで構成された回転カムによる出没機構を具備したノック式筆記具において、回転カムの後方に、弾発部材により軸筒後端方向に付勢されて前後動可能にカム溝形成部材を配設し、軸筒内に形成した第１の山部と、カム溝形成部材に形成した第２の山部によって、前記谷溝を形成するとともに、該カム溝形成部材に形成した係止部が軸筒に一体又は付設した解除部材に係止し、前記カム溝係止部材の前後動を規制するとともに、前記谷溝に回転カムの突部が係止した状態で、前記解除部材から係止部の係止を解除すると、前記弾性部材によりカム溝形成部材が、前記第２の山部が谷溝を形成する段部がなくなるまで軸筒後端方向に移動して、筆記先端部が没入する。
【００１２】
また、前記解除部材が、軸筒後端に一体または付設したクリップ部材であり、前記係止部をクリップ部材の玉部に形成した被係止部に係止し、筆記先端部が軸筒先端の開口部より突出し、回転カムの突部が前記谷溝に係止した状態でクリップをポケット等に挟持すると、ポケットの布地等により前記クリップ部材の玉部が軸筒から離間し、前記係止部と被係止部への係止を解除して筆記先端部を没入させるセーフティ機構を具備してなる。
【００１３】
また、本発明における解除部材へのカム溝形成部材の係止部の係合方法は特に限定されるものでなく、凹凸係合によるものや、突部と突部による係合等、従来から知られている押圧又は離間によって係止が解除される方法を適宜選択して用いることができる。
【００１４】
【発明の実施の形態】
以下、図面を参照して本発明の実施の形態を説明する。尚、図面中同じ部材、同じ部品については同じ番号を付してある。
図１から図１１に示すノック式筆記具１は、軸筒が前軸２と後軸３を螺合し、さらに後軸の後端部に頭冠６を装着した構造で構成され、筆記体１１は筆記先端部１２にボールペンチップを用いたボールペンレフィルがコイルスプリング１３によって頭冠６の後端６ａ方向へ付勢されて収納しており、このコイルスプリング１３の力は回転カム９、押し棒５、押圧体４に伝えられている。後軸３に付設した解除部材１０は、後軸３に設けた窓部３ａから、解除部材１０に形成した被係止部１０ａが軸筒内に進入するようにしてある。
【００１５】
図８は、カム溝構成部材７、内鞘８、回転カム９の展開図の一部を示した図で、回転カム９による繰出機構の流れを示しており、８−１〜８−１０の順序で最後は再び８−８の状態にもどり、この間に筆記先端部１２の前軸２の先端開口部２ａからの出没動作が１回行われる。
【００１６】
これに基づいて回転カム９による繰出機構部を説明すると、ノック体は押圧体４を押し棒５に装着して形成してあり、ノック体（押圧体４、押し棒５）と筆記体１１の間には、カム溝構成部材７、回転カム９が設けられており、ノック体（押圧体４、押し棒５）を押圧することにより、押し棒５のカム部５ａとこれに対応する回転カム９の被カム部９ｂにより軸心方向に加えられた力が周方向の回転力に変換される。このとき、押し棒５には回転止め５ａが設けられており、頭冠６に回転止め５ａに対応する窓孔Ｌが形成されているため、ノック体（押圧体４、押し棒５）は周方向に回転せず、回転カム９のみが周方向に所定角回転するように構成されている。
【００１７】
カム溝Ｋは、内鞘８の内壁面に形成した第１の山部Ｔ１と、回転カム９の後方に弾性部材１４によって頭冠６の後端６ａ方向に付勢して配設したカム溝形成部材７に形成した第２の山部Ｔ２とが連設することによって谷溝Ｔと、凹み溝Ｍを形成し、回転カム９を前後に摺動案内し回転させるためのカム溝Ｋを構成する。この時、ノック体（押圧体４、押し棒５）を前軸２の先端開口部２ａ方向に押圧し、該カム溝形成部材７に形成した係止部７ａが、後軸３に付設した解除部材１０の被係止部１０ａに係止した状態で、第１、第２の二つの山部Ｔ１、Ｔ２により谷溝Ｔを形成するように設定する。
【００１８】
ノック作動の初期段階では回転カム９の突部９ａは凹み溝Ｍに位置して回転規制が働き、回転カム９は回転しない（図８−１、８−２）が、一定距離ノック作動が行われるとこの回転カムの突部９ａは、第１の山部Ｔ１を越え回転規制がはずれて回転カム９は所定角度だけ回転する（図８−３、８−４）。さらに、回転カム９は筆記体１１を通してコイルスプリング１３により常に後方に付勢されておりノック体（押圧体４、押し棒５）の押圧を止めると、第１の山部Ｔ１の傾斜面により、回転カム９は所定角度だけ回転し、回転カムの突部９ａは谷溝Ｔに移動する（図８−５）。この状態は、筆記先端部１２が前軸２の先端開口部２ａより突出し、かつ解除部材１０の被係止部１０ａに、カム溝形成部材７の係止部７ａが係止した状態である。
【００１９】
さらにノック体（押圧体４、押し棒５）を押圧し、一定距離ノック作動が行われると、回転カムの突部９ａは、第２の山部Ｔ２を越え回転規制がはずれて回転カム９は所定角度だけ回転する（図８−６、８−７）。この時、回転カム９は筆記体１１を通してコイルスプリング１３により常に後方へ付勢されておりノック体（押圧体４、押し棒５）の押圧を止めると、第２の山部Ｔ２の傾斜面により、回転カム９は所定角度だけ回転し、回転カムの突部９ａは凹み溝Ｍに移動する（図８−８、８−９、８−１０）。この移動によって、筆記先端部１２が前軸２の先端開口部２ａから没入する。
【００２０】
また、回転カムの突部９ａは谷溝Ｔに位置する（図１１−１）状態（筆記先端部１２が前軸２の先端開口部２ａより突出した状態）で、解除部材１０を押圧（図３の矢印Ｇ方向）し、解除部材１０の被係止部１０ａとカム溝構成部材７の係止部７ａの係止を解除すると、弾発部材１４によってカム溝構成部材７を頭冠６の後端６ａ方向に移動する。この移動によって、第１の山部Ｔ１と第２の山部Ｔ２によって形成した谷溝Ｔの段部はなくなる（図１１−２、１１−３）。その結果、谷溝Ｔに位置した回転カムの突部９ａは、第２の山部Ｔ２の傾斜面を移動（図１１−４）する。この移動によって回転カム９は所定角度だけ回転し、さらにコイルスプリング１３の弾発力によって回転カムの突部９ａは凹み溝Ｍに移動する（図１１−５）ことになり、筆記先端部１２が前軸２の先端開口部２ａより没入する。
【００２１】
さらにノック体（押圧体４、押し棒５）を押圧し、一定距離ノック作動が行われると、カム溝構成部材７は前軸２の先端開口部２ａ方向に移動（図１１−６、１１−７）し、解除部材１０の被係止部１０ａとカム溝構成部材７の係止部７ａの係止する。その後、ノック体（押圧体４、押し棒５）の押圧力は回転カムの突部９ａに加わり、回転カムの突部９ａが第１の山部Ｔ１を越え回転規制がはずれて回転カム９は所定角度だけ回転する（図１１−８、１１−９）。この時、回転カム９は筆記体１１を通してコイルスプリング１３により常に後方へ付勢されておりノック体（押圧体４、押し棒５）の押圧を止めると、第１の山部Ｔ１の傾斜面により、回転カム９は所定角度だけ回転し、回転カムの突部９ａは谷溝Ｔに移動する（図１１−１０、１１−１１）。この状態は、筆記先端部１２が前軸２の先端開口部２ａから突出した状態である。
【００２２】
図１２から図１５に示す第２の実施の形態は、解除部材１０を頭冠２２に一体に形成したクリップ部材２３とし、このクリップ部材２３の玉部に、カム溝構成部材７の係止部７ａを係止させる被係止部２３ａを形成した以外は、第１の実施の形態と同様にしてノック式筆記具２１を得ている。
【００２３】
ノック式筆記具２１は、筆記先端部１２が突出状態で、例えば、ポケットの布地（図示せず）にクリップ２３を挟持する場合に、ポケットの布地によって、クリップ部材２３は後軸３から離間（図１５の矢印Ｈ方向）する。この離間によって、クリップ部材２３の被係止部２３ａに係止していたカム溝構成部材７の係止部７ａがはずれて、第１の実施の形態と同様に、弾発部材１４によって軸筒後方へ付勢されたカム溝構成部材７は、頭冠２２の後端２２ａ方向に、第１の山部Ｔ１と第２の山部Ｔ２によって形成した谷溝Ｔの段部がなくなるまで移動（図１１−３）する。その結果、谷溝Ｔに位置していた回転カムの突部９ｂは、第２の山部Ｔ２の傾斜面を移動（図１１−４）する。この移動によって、回転カム９は所定角度だけ回転し、さらにコイルスプリング１３の弾発力によって回転カムの突部９ｂは凹み溝Ｍに移動する（図１１−５）ことになり、筆記先端部１２が前軸２の先端開口部２ａより没入する。すなわち、筆記先端部１２が突出した状態で、ポケットの布地にクリップ２３を挟持した場合には、筆記先端部１２が没入し、ポケットの布地を汚損することがないセーフティ機構となる。
【００２４】
尚、本実施の形態では、前軸２と後軸３を螺着により軸筒を形成し、後軸３内に配設した内鞘８に第１の山部Ｔ１を形成しているが、後軸内、あるいは軸筒を一体に形成し、軸筒後端部に第１の山部を形成してもよい。また、ノック体を押圧体４、押し棒５を装着することにより形成しているが、押圧体４、押し棒５を一体に形成してあってもよい。
【００２５】
また、本実施の形態では、筆記体としてボールペンレフィルを用いているがこれに限るものではない。また、ボールペンチップ構造も特に限定されるものでなく、ボールをコイルスプリングの先端で直接又は押圧体を介して押圧されている構造としても良いし、コイルスプリングを配設しない構造であっても良い。
【００２６】
また、本発明のノック式筆記具は、また、筆記体に収容するインキも特に限定されるものではないが、低粘度である水性インキや２５℃において粘度が３０００ｍＰａ・ｓ以下の油性インキ、あるいは剪断減粘性を付与したインキを収容したボールペンレフィルである場合には、前記インキがポケットの布地に染み込み、汚損し易いので特に有効である。
【００２７】
【発明の効果】
以上の通り、本発明は前述した構成により、ノック体の押圧作動による作動感触が良好で、かつ簡単に出没可能な回転カムを有するノック式筆記具を提供することができた。
【００２８】
また、筆記体の筆記先端部が突出した状態でクリップ部材をポケット等の衣類に装着しても衣類を汚損することがないセーフティ機構を具備したノック式筆記具を提供することができた。
【図面の簡単な説明】
【図１】第１の実施の形態におけるノック式筆記具を示す縦断面図である。
【図２】図１における、筆記先端部を突出状態とした縦断面図である。
【図３】図１における、一部省略した要部拡大縦断面図である。
【図４】第１の実施の形態における、一部省略した要部部品を展開した縦断面図である。
【図５】図１におけるＡ−Ａ断面図である。
【図６】図１におけるＢ−Ｂ断面図である。
【図７】カム溝構成部材の側面図及び底面図である。
【図８】出没作動におけるカム溝及び回転カムの突部の係止関係を説明した図である。
【図９】係止部と被係止部の解除した状態を示す縦断面図である。
【図１０】図９における、一部省略した要部拡大縦断面図である。
【図１１】係止部と被係止部の解除におけるカム溝及び回転カムの突部の係止関係を説明した図である。
【図１２】第２の実施の形態におけるノック式筆記具を示す縦断面図である。
【図１３】図１２における、筆記先端部を突出状態とした縦断面図である。
【図１４】図１２における、一部省略した要部拡大縦断面図である。
【図１５】係止部と被係止部の解除した状態を示す縦断面図である。
【符号の説明】
１、２１  ノック式筆記具
２  前軸
２ａ  先端開口部
３  後軸
３ａ  窓部
４  ノック体
５  押し棒
５ａ  回転止め
６  頭冠
６ａ  後端部
７  カム溝構成部材
７ａ  係止部
８  内鞘
９  回転カム
９ａ  突部
９ｂ  被カム部
１０  解除部材
１０ａ  被係止部
１１  筆記体
１２  筆記先端部
１３  コイルスプリング
１４  弾発部材
２２  頭冠
２３  クリップ部材
２３ａ  被係止部
Ｋ  カム溝
Ｔ１、Ｔ２  山部
Ｔ  谷溝
Ｍ  凹み溝
Ｌ  窓孔
【図１】
2004167766.tif 000003
【図２】
2004167766.tif 000004
【図３】
2004167766.tif 000005
【図４】
2004167766.tif 000006
【図５】
2004167766.tif 000007
【図６】
2004167766.tif 000008
【図７】
2004167766.tif 000009
【図８】
2004167766.tif 000010
【図９】
2004167766.tif 000011
【図１０】
2004167766.tif 000012
【図１１】
2004167766.tif 000013
【図１２】
2004167766.tif 000014
【図１３】
2004167766.tif 000015
【図１４】
2004167766.tif 000016
【図１５】
2004167766.tif 000017